(57)【要約】【課題】  履物を着脱する際における身体的な負担を軽減するために有用な履物着脱補助ベンチを提供する。【解決手段】  脚部２，３の上部に設けられた座部４と、座部４から上方に伸びる支持柱５と、支持柱５の上部に設けられ立ち座り動作の際に手で掴まれる動作補助部６と、座部４よりも下方に位置しかつ履物を着脱する際に足が置かれる足置き部７とを備える履物着脱補助ベンチ１である。【選択図】        図１
0003103958.tif 000002
【実用新案登録請求の範囲】
【請求項１】
脚部の上部に設けられた座部と、その座部から上方に伸びる支持柱と、その支持柱の上部に設けられ立ち座り動作の際に手で掴まれる動作補助部と、前記座部よりも下方に位置しかつ履物を着脱する際に足が置かれる足置き部とを備える履物着脱補助ベンチ。
【請求項２】
請求項１に記載の履物着脱補助ベンチであって、
足置き部は、座部を支持する脚部に一体状に設けられていることを特徴とする履物着脱補助ベンチ。
【請求項３】
請求項２に記載の履物着脱補助ベンチであって、
足置き部は、座部を支持する脚部周りに回動可能に一体状に設けられ、前記座部の平面領域内と平面領域外との間で位置移動される構成になっていることを特徴とする履物着脱補助ベンチ。
【請求項４】
請求項３に記載の履物着脱補助ベンチであって、
足置き部の下面側に車輪が設けられていることを特徴とする履物着脱補助ベンチ。
【請求項５】
請求項１から４のいずれかに記載の履物着脱補助ベンチであって、
支持柱は、座部の左右いずれか寄り位置から上方に延出していることを特徴とする履物着脱補助ベンチ。
【請求項６】
請求項１から５のいずれかに記載の履物着脱補助ベンチであって、
支持柱が、脚部と同じ軸線上に設けられていることを特徴とする履物着脱補助ベンチ。
【請求項７】
請求項６に記載の履物着脱補助ベンチであって、
右側の脚部と、左側の脚部とを有し、
支持柱が、前記左右いずれかの脚部と同じ軸線上に設けられていることを特徴とする履物着脱補助ベンチ。
【請求項８】
請求項１から７のいずれかに記載の履物着脱補助ベンチであって、
動作補助部には、杖を掛け止めるための掛止部が設けられていることを特徴とする履物着脱補助ベンチ。
【考案の詳細な説明】
【技術分野】
【０００１】
本考案は、履物を着脱する際における身体的な負担の軽減を図るための履物着脱補助ベンチに関する。
【背景技術】
【０００２】
高齢者や下肢の身体的能力の低下した人々にとって、履物の着脱動作は容易ではない。例えば、玄関の上がり框などに座り込んで履物を着脱し、その後に起立する場合は、起立の際に大きな力を必要とするため、身体的な負担が大きい。
そして履物を着脱する際における身体的な負担を軽減するために、従来、特許文献１に記載のベンチなどが知られていた。
特許文献１に記載のベンチは、座部の下方に下棚を有し、その下棚の外周縁に波形の端縁を有していた。そして履物を脱ぐ際には、波形の端縁に履物を引掛け、これによって履物を容易に脱ぐことができる構成になっていた。
【特許文献１】特開２００３−１１６７０２号公報
【考案の開示】
【考案が解決しようとする課題】
【０００３】
そして本考案でも従来と同様に、あるいはそれ以上に履物を着脱する際における身体的な負担を軽減するために有用な履物着脱補助ベンチを提供することを課題とする。
【課題を解決するための手段】
【０００４】
前記課題を解決するために本考案は、各請求項に記載の通りの構成を備える履物着脱補助ベンチであることを特徴とする。
請求項１に記載の考案によると、履物着脱補助ベンチは、脚部の上部に設けられた座部と、その座部から上方に伸びる支持柱と、その支持柱の上部に設けられ立ち座り動作の際に手で掴まれる動作補助部と、座部よりも下方に位置しかつ履物を着脱する際に足が置かれる足置き部とを備えている。
したがって立ち座り動作の際には、動作補助部を利用することで立ち座り動作をしやすい。また足置き部に足を置くことで、容易に履物を着脱することができる。かくして履物着脱補助ベンチは、履物を着脱する際における高齢者等の身体的な負担を軽減し得る。
【０００５】
請求項２に記載の考案によると、足置き部は、座部を支持する脚部に一体状に設けられている。
したがって履物着脱補助ベンチは、足置き部を一体状に有しているために取扱いやすい構成になっている。
【０００６】
また請求項３に記載の考案によると、足置き部は、座部を支持する脚部周りに回動可能に一体状に取付けられている。そして座部の平面領域内と平面領域外との間で位置移動される構成になっている。
したがって足置き部は、利用の際に座部の平面領域外に引き出され、利用しない際に座部の平面領域内に収納される。したがって足置き部を利用しない場合における履物着脱補助ベンチの大きさをコンパクトにすることができる。
【０００７】
請求項４に記載の考案によると、足置き部の下面側に車輪が設けられている。
したがって足置き部を座部の平面領域内と平面領域外との間で容易に位置移動させることができる。
【０００８】
請求項５に記載の考案によると、支持柱は、座部の左右いずれか寄り位置から上方に延出している。
したがって支持柱の上部に設けられる動作補助部もベンチの左右いずれか寄り位置に設けられる。そのため立ち座り動作の際に動作補助部を掴みやすく、立ち座り動作の身体的な負担を軽減し得る。
【０００９】
請求項６に記載の考案によると、支持柱が、脚部と同じ軸線上に設けられている。
したがって立ち座りの際に支持柱に付加された力は、同軸線上の脚部によって安定良く支持される。また支持柱と脚部とが同軸線上に設けられることで、ベンチの美観も向上される。
【００１０】
請求項７に記載の考案によると、右側の脚部と左側の脚部とを有し、支持柱が、左右いずれかの脚部と同じ軸線上に設けられている。
したがって支持柱の上部に設けられる動作補助部が、ベンチの左右いずれか寄り位置に設けられて使用勝手が良く、立ち座り動作の身体的な負担を軽減し得る。
また支持柱と脚部が同軸線上に設けられていることでベンチの美観も向上されている。
【００１１】
請求項８に記載の考案によると、動作補助部には、杖を掛け止めるための掛止部が設けられている。
したがって履物着脱補助ベンチに杖を掛け止めることができる。
【考案を実施するための最良の形態】
【００１２】
（実施の形態１）
実施の形態１を図１〜３にしたがって説明する。
履物着脱補助ベンチ（以下ベンチという）１は、図１に示すように左側の脚部２と右側の脚部３と、これら脚部２，３の上部に設けられた座部４を有している。そして座部４の左右いずれか寄り、例えば左寄り位置から上方に伸びる支持柱５と、支持柱５の上部に設けられた動作補助部６を有している。またベンチ１は、座部４よりも下方に位置する足置き部７を有している。
【００１３】
脚部２，３は、柱状（例えば、略円柱状、角柱状など）に構成されている。
座部４は、板状であって脚部２，３の上部に水平方向に設置されている。そしてその高さ位置は、座るために調度良い高さ位置になっている。また座部４は、臀部の設置面が動きやすいように施工された座面を備えている。また座部４は、立ち座り動作をしやすいように曲面状に形成された外周縁を備えている。
支持柱５は、略円柱状に構成されており、左側の脚部２の上側に脚部２と同じ軸線上となる位置にて設けられている。
動作補助部６は、板状であって支持柱５の上部に水平方向に設置されている。そして動作補助部６の高さ位置は、立ち座り動作の際に手で掴むために調度良い高さ位置になっている。また動作補助部６は、手荷物や架台等を置くのに十分な大きさを有している。
【００１４】
足置き部７は、板状であって略水平方向に設置されている。足置き部７は、脚部３周りに回動可能に一体状に設けられており、下面に車輪８が取付けられている。したがって足置き部７は、脚部３を軸中心に回動し、回動することで座部４の平面領域内と平面領域外との間で位置移動する。かくして足置き部７は、利用する際に座部４の平面領域外から引き出される。そして利用しない際には座部４の平面領域内に収納される。
【００１５】
ベンチ１の使用態様を図２，３にしたがって説明する。
図２に示すように座部４に座る場合は、先ず手で動作補助部６を掴む。そして上体を回転させながら膝を折り曲げ、臀部を座部４に設置させる。
次に、図３に示すように足置き部７を座部４の平面領域内から平面領域外に引き出す。そして足置き部７に足を置く。これによって足の高さが高くなり、履物を脱着しやすい状態にて着脱できる。
そして座った状態から立ち上がる場合には、動作補助部６を手で掴んだ状態にて立ち上がる。
【００１６】
以上のようにしてベンチ１が構成されている。
すなわちベンチ１は、図１に示すように座部４と支持柱５と動作補助部６と足置き部７を備えている。
したがって立ち座り動作の際には、図２に示すように動作補助部６を利用することで立ち座り動作をしやすい。また図３に示すように足置き部７に足を置くことで、容易に履物を着脱することができる。
またベンチ１は、図１に示すように足置き部７を一体状に有している。そのため取扱いやすい構成になっている。
【００１７】
また足置き部７は、利用の際に座部４の平面領域外に引き出され、利用しない際に座部４の平面領域内に収納される。したがって足置き部７を利用しない場合におけるベンチ１の大きさをコンパクトにすることができる。
また足置き部７の下面側に車輪８が設けられている。
したがって足置き部７を座部４の平面領域内と平面領域外との間で容易に位置移動させることができる。
【００１８】
また支持柱５は、座部４の左右いずれか寄り位置から上方に延出している。
したがって支持柱５の上部に設けられる動作補助部６もベンチ１の左右いずれか寄り位置に設けられる。そのため立ち座り動作の際に動作補助部６を掴みやすく、立ち座り動作の身体的な負担を軽減し得る。
また支持柱５は、脚部２と同じ軸線上に設けられている。
したがって立ち座りの際に支持柱５に付加された力は、同軸線上の脚部２によって安定良く支持される。また支持柱５と脚部２とが同軸線上に設けられることで、ベンチ１の美観も向上される。
【００１９】
（実施の形態２）
実施の形態２を図４にしたがって説明する。
実施の形態２は、実施の形態１とほぼ同様に形成されている。しかし実施の形態２に係る動作補助部６は、掛止部６ａを有し、この点において実施形態１と異なっている。
掛止部６ａは、杖Ｓを掛け止めるために動作補助部６の外周縁の一部を凹状に切欠いた構成になっている。したがってベンチ１に杖Ｓを掛け止めることができる。
なお他の部材は、実施の形態１と同じであるため図４への記載を割愛している。
【００２０】
（実施の形態３）
実施の形態３を図５にしたがって説明する。
実施の形態３は、実施の形態１とほぼ同様に形成されている。しかし各部材において少しずつその形状等に差異点を有している。以下、差異点を中心に実施の形態３について説明する。
【００２１】
実施の形態３に係るベンチ１１は、図５に示すように左側の脚部１２、右側の脚部１３（１３ａ，１３ｂ）、座部１４、支持柱１５、動作補助部１６および足置き部１７を有している。
左側の脚部１２は、板材であって起立した状態で設置されている。
一方、右側の脚部１３は、奥側の脚部１３ａと手前側の脚部１３ｂとを有している。そして脚部１３ａ，１３ｂは、略円柱状に形成されている。そしてこれら脚部１２，１３の上部に板状の座部１４が水平方向に設置されている。
【００２２】
支持柱１５は、板状に構成されており、左側の脚部１２の上側に一体に設けられている。そして支持柱１５は、脚部１２と同じ軸線上に設けられている。
またベンチ１１は、第二の支持柱１９を有している。第二の支持柱１９は、板状であって起立した状態で設置されている。そして第二の支持柱１９と支持柱１５の上部に板状の動作補助部１６が水平方向に設置されている。そして動作補助部１６は、支持柱１５によって右縁部が支持され、第二の支持柱１９によって左縁部が支持されている。
【００２３】
足置き部１７は、脚部１３の高さ略中央位置にて脚部１３に一体状に取付けられている。そして足置き部１７は、脚部１３から座部１４の平面領域外に向けて水平方向に延出している。また足置き部１７は、杖を保持する保持部１７ａを有しており、保持部１７ａは、足置き部１７に貫通孔状に形成されている。
足置き部１７の下面側には、足置き支持部１８が設けられている。足置き支持部１８は、板材であって起立した状態で足置き部１７の側縁に沿って設けられている。
そしてベンチ１１は、座部１４の下側領域において第一の収納スペースを有し、動作補助部１６の下側領域において第二の収納スペースを有している。
【００２４】
（実施の形態４）
実施の形態４を図６にしたがって説明する。
実施の形態４は、実施の形態１とほぼ同様に形成されている。しかし各部材において少しずつその形状等に差異を有している。以下、差異点を中心に実施の形態４について説明する。
実施の形態４に係るベンチ２１は、左側の脚部２２、右側の脚部２３、座部２４、支持柱２５、動作補助部２６および足置き部２７を有している。
左右両側の脚部２２，２３は、それぞれ座部２４の奥側を支持する奥脚部２２ａ，２３ａと、座部２４の手前側を支持する手前脚部２２ｂ，２３ｂと、奥脚部２２ａ，２３ａの下端部と手前脚部２２ｂ，２３ｂの下端部とを連結する連結部２２ｃ，２３ｃとを一体に有している。
【００２５】
支持柱２５は、奥側に設けられた奥柱部２５ａと、手前側に設けられた手前柱部２５ｂとを備えている。そして奥柱部２５ａは、脚部２２の奥脚部２２ａの上方位置に一体に設けられており、奥脚部２２ａと同じ軸線上の位置にて設けられている。一方、手前柱部２５ｂは、脚部２２の手前脚部２２ｂの上方位置に一体に設けられており、手前脚部２２ｂと同じ軸線上の位置にて設けられている。
足置き部２７の下面側には、足置き支持部２８が一体状に設けられている。足置き支持部２８は、足置き部２７を所定高さにて支持する構成になっている。そして足置き部２８は、座部２４の下側領域（平面領域内）に収納可能であって、使用する際には座部２４の下側領域から外に出されて使用される構成になっている。
【図面の簡単な説明】
【００２６】
【図１】実施の形態１に係る履物着脱補助ベンチの斜視図である。
【図２】履物着脱補助ベンチの使用状態を示すための斜視図である。
【図３】履物着脱補助ベンチの使用状態を示すための斜視図である。
【図４】実施の形態２に係る履物着脱補助ベンチの一部斜視図である。
【図５】実施の形態３に係る履物着脱補助ベンチの斜視図である。
【図６】実施の形態４に係る履物着脱補助ベンチの斜視図である。
【符号の説明】
【００２７】
１，１１，２１…ベンチ（履物着脱補助ベンチ）
２，３，１２，１３，２２，２３…脚部
４，１４，２４…座部
５，１５，２５…支持柱
６，１６，２６…動作補助部
６ａ…掛止部
７，１７，２７…足置き部
８…車輪
【図１】
0003103958.tif 000003
【図２】
0003103958.tif 000004
【図３】
0003103958.tif 000005
【図４】
0003103958.tif 000006
【図５】
0003103958.tif 000007
【図６】
0003103958.tif 000008